(57)【要約】【課題】入力操作を行うための表示に従って指等を接触または近接させて入力操作を行う場合に、入力操作を行うための表示が指等で隠れて入力操作を誤ってしてしまうことを回避する。【解決手段】接触または近接を検出する入力検出部１と、入力検出部１に対する接触または近接による入力操作を行うための表示を行い、入力検出部１に対する接触または近接による入力操作を認識する表示部２とを有し、入力検出部１と表示部２とは、その相対位置が、互いに略重なり合う状態と、少なくとも一部が互いに重なり合わない状態とに変位可能に配置され、表示部２は、入力検出部１にて接触または近接が検出された位置に入力検出部１と表示部２とが略重なり合う状態で対向する位置の表示を用いて入力操作を認識する。【選択図】図１
2013020344.tif 000002
【特許請求の範囲】
【請求項１】
接触または近接を検出する入力検出手段と、
前記入力検出手段に対する接触または近接による入力操作を行うための表示を行い、前記入力検出手段に対する接触または近接による入力操作を認識する表示手段とを有し、
前記入力検出手段と前記表示手段とは、その相対位置が、互いに略重なり合う状態と、少なくとも一部が互いに重なり合わない状態とに変位可能に配置され、
前記表示手段は、前記入力検出手段にて接触または近接が検出された位置に前記入力検出手段と前記表示手段とが略重なり合う状態で対向する位置の表示を用いて前記入力操作を認識する入力装置。
【請求項２】
請求項１に記載の入力装置において、
前記入力検出手段と前記表示手段との少なくとも一部が重なり合わない状態となったことを検出する重なり状態検出手段を有し、
前記表示手段は、前記重なり状態検出手段にて前記入力検出手段と前記表示手段との少なくとも一部が重なり合わない状態となったことが検出された状態では、前記入力検出手段にて接触または近接が検出された位置に前記入力検出手段と前記表示手段とが略重なり合う状態で対向する位置に位置特定情報を表示する入力装置。
【請求項３】
請求項１または請求項２に記載の入力装置において、
前記入力検出手段と前記表示手段との相対位置が、前記入力検出手段と前記表示手段とが略重なり合う状態と、前記入力検出手段と前記表示手段との少なくとも一部が重なり合わない状態とに変位可能となるように、前記入力検出手段及び前記表示手段を保持する保持手段を有する入力装置。
【請求項４】
請求項３に記載の入力装置において、
前記保持手段は、
前記入力検出手段及び前記表示手段のうち一方に設けられた溝と、
前記入力検出手段及び前記表示手段のうち他方に設けられた爪とからなり、
前記爪が前記溝に係合しながら、前記入力検出手段と前記表示手段とが略重なり合う状態から前記入力検出手段と前記表示手段との少なくとも一部が重ない合わない状態に変位する入力装置。
【請求項５】
入力操作を行うための表示を行う表示処理と、
接触または近接を検出する入力検出手段が前記表示に略重なり合う状態における前記入力検出手段に対する接触または近接を、当該接触または近接に対向する位置の表示に対応した入力操作として検出する第１の検出処理と、
前記入力検出手段が前記表示の少なくとも一部に重ならない状態における前記入力検出手段に対する接触または近接を、前記入力検出手段が前記表示に略重なり合う状態にて当該接触または近接に対向する位置の表示に対する入力操作として検出する第２の検出処理とを有する入力検出方法。
【発明の詳細な説明】
【技術分野】
【０００１】
本発明は、接触または近接が検出されることで入力操作を認識する入力装置及び入力検出方法に関する。
【背景技術】
【０００２】
現在、携帯電話機は、情報交換や情報収集の面から、生活にはなくてはならないツールとなりつつある。携帯電話機は、世の中に登場した当時は、通話機能しか有していないものがほとんどであったが、近年では、一般のパーソナルコンピュータと同様に、電子メールを送信したり、インターネットに接続したりすることができるようになっている。
【０００３】
このような携帯電話機の市場では、近年、スマートフォンが急速に普及している。スマートフォンは、表示画面上に接触を検出するタッチパッドを有し、タッチパッドにて接触を検出すると、その検出した位置座標を読み取り、その位置座標と同じ表示画面上の場所の選択や操作が可能となる。そして、このようなタッチパッドを有する入力装置は、スマートフォンに限らず、携帯ゲーム機等にも採用されており、表示画面上のアプリケーション用アイコンやブラウザのリンク、文字入力用のキーの選択や、表示画面のスクロールや拡大／縮小を直感的に分かりやすく、簡単に操作することができる。
【０００４】
ところが、上述したように接触を検出することで情報が入力される入力装置においては、電子メール作成時の文字入力用のキーや、ブラウザ閲覧時のリンク、アプリケーション起動用アイコンを選択しようとすると、タッチパッドに接触する指で表示画面が隠れてしまい、目的の場所を選択できないことがある。
【０００５】
そのため、電子メール作成時に文字の入力ミスが生じたり、目的とは異なるアプリケーションが起動してしまったり、さらには、ブラウザ閲覧の時は目的ではないリンク先に接続されてしまったりする場合がある。
【０００６】
ここで、２つの筐体からなる小型携帯機器において、２つの筐体が重なり合った状態では、一方の筐体に表示された情報の一部のみを他方の筐体を介して視認可能とし、２つの筐体が互いにずれた状態において、一方の筐体に表示された情報を他方の筐体に設けられた接触感知型入力デバイスで指定するものが特許文献１に開示されている。
【先行技術文献】
【特許文献】
【０００７】
【特許文献１】特開２００９−５３０９０５号公報
【発明の概要】
【発明が解決しようとする課題】
【０００８】
しかしながら、特許文献１に開示されたものは、２つの筐体が重なり合った状態では、一方の筐体に表示された情報の一部のみが他方の筐体を介して視認可能となっているため、上述したスマートフォンのように、表示画面に表示された情報を接触によって指定することはできず、上記問題を解決できるものではない。
【０００９】
本発明は、上述したような技術が有する問題点に鑑みてなされたものであって、入力操作を行うための表示に従って指等を接触または近接させて入力操作を行う場合に、入力操作を行うための表示が指等で隠れて入力操作を誤ってしてしまうことを回避できる入力装置及び入力検出方法を提供することを目的とする。
【課題を解決するための手段】
【００１０】
上記目的を達成するために本発明は、
接触または近接を検出する入力検出手段と、
前記入力検出手段に対する接触または近接による入力操作を行うための表示を行い、前記入力検出手段に対する接触または近接による入力操作を認識する表示手段とを有し、
前記入力検出手段と前記表示手段とは、その相対位置が、互いに略重なり合う状態と、少なくとも一部が互いに重なり合わない状態とに変位可能に配置され、
前記表示手段は、前記入力検出手段にて接触または近接が検出された位置に前記入力検出手段と前記表示手段とが略重なり合う状態で対向する位置の表示を用いて前記入力操作を認識する。
【００１１】
また、入力操作を行うための表示を行う表示処理と、
接触または近接を検出する入力検出手段が前記表示に略重なり合う状態における前記入力検出手段に対する接触または近接を、当該接触または近接に対向する位置の表示に対応した入力操作として検出する第１の検出処理と、
前記入力検出手段が前記表示の少なくとも一部に重ならない状態における前記入力検出手段に対する接触または近接を、前記入力検出手段が前記表示に略重なり合う状態にて当該接触または近接に対向する位置の表示に対する入力操作として検出する第２の検出処理とを有する。
【発明の効果】
【００１２】
本発明は、入力検出手段と表示手段との相対位置を、少なくとも一部が互いに重なり合わない状態として入力検出手段に対して接触または近接によって入力操作を行えば、入力操作を行うための表示に従って指等を接触または近接させて入力操作を行う場合に、入力操作を行うための表示が指等で隠れて入力操作を誤ってしまうことを回避できる。
【図面の簡単な説明】
【００１３】
【図１】本発明の入力装置の概要を示す図である。
【図２】図１に示した入力装置の実施の一形態となる小型電子機器の一例を示す図であり、（ａ）は外観斜視図、（ｂ）は（ａ）に示したタッチパッドと表示ユニットとの接続状態を示す図、（ｃ）は（ａ）に示した表示ユニットを表面側から見た外観斜視図、（ｄ）は（ａ）に示したタッチパッドを裏面側から見た外観斜視図、（ｅ）は機能ブロック図である。
【図３】図２に示した小型電子機器においてタッチパッドと表示ユニットとの相対位置を変える方法を説明するための図であり、（ａ）はタッチパッドと表示ユニットとが重ね合わされた状態の外観斜視図、（ｂ）はタッチパッドと表示ユニットとが重ね合わされた状態における上爪と上溝との係合状態を示す図、（ｃ）は表示ユニット上からタッチパッドがずらされた状態を示す外観斜視図、（ｄ）は表示ユニット上からタッチパッドがずらされた状態における上爪と上溝との係合状態を示す図、（ｅ）は表示ユニット上からタッチパッドがずらされた状態におけるタッチパッドと表示ユニットとの接続状態を示す図である。
【図４】図２に示した小型電子機器においてタッチパッドへの接触または近接による入力操作が行われた場合の動作を説明するための図であり、（ａ）はタッチパッドと表示ユニットとが重ね合わされた状態にて入力操作を行うための表示が行われている場合の外観図、（ｂ）は表示ユニット上からタッチパッドがずらされた状態にてタッチパッドに対して接触または近接による入力操作が行われている場合の外観図である。
【図５】図１に示した入力装置の実施の一形態となる小型電子機器の他の例を示す図であり、（ａ）はタッチパッドと表示ユニットとが重ね合わされた状態の外観斜視図、（ｂ）は表示ユニット上からタッチパッドがずらされた状態を示す外観斜視図である。
【図６】図１に示した入力装置の実施の一形態となる小型電子機器の他の例を示す図であり、（ａ）はタッチパッドと表示ユニットとが重ね合わされた状態の外観斜視図、（ｂ）は表示ユニット上からタッチパッドがずらされた状態を示す外観斜視図である。
【図７】図１に示した入力装置の実施の一形態となる小型電子機器の他の例を示す図であり、（ａ）はタッチパッドと表示ユニットとが重ね合わされた状態の外観斜視図、（ｂ）は表示ユニットとタッチパッドとが分離した状態を示す外観斜視図である。
【発明を実施するための形態】
【００１４】
以下に、本発明の実施の形態について図面を参照して説明する。
【００１５】
図１は、本発明の入力装置の概要を示す図である。
【００１６】
本発明の入力装置は図１に示すように、入力検出手段となる入力検出部１と、表示手段となる表示部２とから構成されている。
【００１７】
上記のように構成された入力装置においては、入力検出部１と表示部２とが、その相対位置が、互いに略重なり合う状態と、少なくとも一部が互いに重なり合わない状態とに変位可能に配置されている。そして、表示部２において、入力検出部１に対する接触または近接による入力操作を行うための表示を行っており、入力検出部１にて接触または近接を検出すると、表示部２において、入力検出部１にて接触または近接が検出された位置に入力検出部１と表示部２とが略重なり合う状態で対向する位置の表示を用いて入力操作を認識する。
【００１８】
以下に、上記のように構成された入力装置について具体的な例を挙げて説明する。
【００１９】
図２は、図１に示した入力装置の実施の一形態となる小型電子機器の一例を示す図であり、（ａ）は外観斜視図、（ｂ）は（ａ）に示したタッチパッド１０と表示ユニット２０との接続状態を示す図、（ｃ）は（ａ）に示した表示ユニット２０を表面側から見た外観斜視図、（ｄ）は（ａ）に示したタッチパッド１０を裏面側から見た外観斜視図、（ｅ）は機能ブロック図である。
【００２０】
本形態は図１に示すように、入力検出部１となるタッチパッド１０と、表示部２となる表示ユニット２０とが重ね合わされ、これらタッチパッド１０と表示ユニット２０とが、Ｓ字に折り畳まれたフレキシブルシート３０を介して電気的に接続されて構成されている。
【００２１】
タッチパッド１０は、静電容量等を用いて指等が接触または近接するためのタッチ部１１を有し、その裏面のうちタッチ部１１の外側の領域において２つの角部に上爪１２ａ及び下爪１２ｂが設けられている。そして、位置検出部１３において、タッチ部１１にて指等が接触したり近接したりした位置を検出する。
【００２２】
表示ユニット２０は、その表面に、タッチパネル１０に対する接触または近接による入力操作を行うために表示を行う表示画面部２１を有するとともに、互いに対向する２辺に沿うように上溝２２ａ及び下溝２２ｂが形成されている。また、表示画面部２１の下溝２２ｂが形成された側には重なり状態検出手段となる開閉スイッチ２３が設けられている。また、表示ユニット２０は、ＣＰＵ（不図示）を内蔵し、このＣＰＵが、位置認識部２４と操作認識部２５と表示制御部２６と動作制御部２７として機能する。なお、表示画面部２１としては、液晶や有機ＥＬ等からなるものが考えられる。
【００２３】
位置認識部２４は、タッチパッド１０の位置検出部１３にて検出された位置を認識する。表示制御部２６は、タッチパッド１０に対する接触または近接による入力操作を行うための表示を表示画面部２１にて行い、また、動作制御部２７の制御に応じた表示を表示画面部２１にて行う。操作認識部２５は、位置認識部２４にて認識された位置と表示制御部２６にて制御されている表示画面部２１の表示とに基づいて、タッチパッド１０に対する接触または近接による入力操作を認識する。動作制御部２７は、操作認識部２５にて認識された入力操作に応じた表示を表示画面部２１にて行うように表示制御部２６を制御する。
【００２４】
以下に、上記のように構成された小型電子機器の使用方法について説明する。
【００２５】
まず、タッチパッド１０と表示ユニット２０との相対位置を変える方法について説明する。
【００２６】
図３は、図２に示した小型電子機器においてタッチパッド１０と表示ユニット２０との相対位置を変える方法を説明するための図であり、（ａ）はタッチパッド１０と表示ユニット２０とが重ね合わされた状態の外観斜視図、（ｂ）はタッチパッド１０と表示ユニット２０とが重ね合わされた状態における上爪１２ａと上溝２２ａとの係合状態を示す図、（ｃ）は表示ユニット２０上からタッチパッド１０がずらされた状態を示す外観斜視図、（ｄ）は表示ユニット２０上からタッチパッド１０がずらされた状態における上爪１２ａと上溝２２ａとの係合状態を示す図、（ｅ）は表示ユニット２０上からタッチパッド１０がずらされた状態におけるタッチパッド１０と表示ユニット２０との接続状態を示す図である。
【００２７】
図２に示した小型携帯電子機器は、通常は図３（ａ）に示すように、タッチパッド１０と表示ユニット２０とが重ね合わされた状態となっている。この状態においても、タッチ部１１に指を接触させたり指を近接させたりすると、タッチ部１１がその接触または近接を検出し、表示ユニット２０が、表示画面部２１のうちタッチ部１１にて接触または近接を検出した位置に対向する位置の表示に応じた動作や表示を行う。なお、タッチパッド１０に設けられた上爪１２ａ及び下爪１２ｂは図３（ｂ）に示すように、表示ユニット２０に設けられた上溝２２ａ及び下溝２２ｂにそれぞれ係合している。また、表示ユニット２０に設けられた開閉スイッチ２３は、タッチパッド１０に押されてＯＮ状態となっている。
【００２８】
この状態から、図３（ｃ）に示すように、タッチパッド１０を上溝２２ａ及び下溝２２ｂに沿ってスライドさせ、表示ユニット２０上からタッチパッド１０がずらされた状態とすることができる。この際、タッチパッド１０に設けられた上爪１２ａ及び下爪１２ｂが、表示ユニット２０に設けられた上溝２２ａ及び下溝２２ｂにそれぞれ係合しながら、タッチパッド１０がスライドしていき、タッチパッド１０と表示ユニット２０との相対位置が、互いに重なり合う状態から一部が互いに重なり合わない状態に変位することになる。そして、図３（ｄ）に示すように、上爪１２ａ及び下爪１２ｂが上溝２２ａ及び下溝２２ｂの端部にそれぞれ当接することで、タッチパッド１０がそれ以上スライドしない位置にて固定される。このように、タッチパッド１０に設けられた上爪１２ａ及び下爪１２ｂと、表示ユニット２０に設けられた上溝２２ａ及び下溝２２ｂとから、タッチパッド１０と表示ユニット２０との相対位置が、タッチパッド１０と表示ユニット２０とが重なり合う状態と、タッチパッド１０と表示ユニット２０との一部が重なり合わない状態とに変位可能となるように、タッチパッド１０と表示ユニット２０を保持する保持手段が構成される。また、表示ユニット２０に設けられた開閉スイッチ２３は、タッチパッド１０に押されない状態となってＯＦＦ状態となる。
【００２９】
また、タッチパッド１０がスライドして図３（ｃ）に示した状態となっても、図３（ｅ）に示すように、タッチパッド１０と表示ユニット２０とはフレキシブルシート３０を介して電気的に接続された状態が維持される。
【００３０】
このようにして表示ユニット２０上からずらされたタッチパッド１０は、上爪１２ａ及び下爪１２ｂが上溝２２ａ及び下溝２２ｂにそれぞれ係合しながらスライドさせることで、表示ユニット２０に重ね合わされた状態に戻すことができる。
【００３１】
なお、本形態においては、タッチパッド１０に上爪１２ａ及び下爪１２ｂが設けられ、表示ユニット２０に上溝２２ａ及び下溝２２ｂが形成されたものを例に挙げて説明したが、タッチパッド１０に上溝２２ａ及び下溝２２ｂが形成され、表示ユニット２０に上爪１２ａ及び下爪１２ｂが設けられた構成とすることも考えられる。
【００３２】
次に、タッチパッド１０への接触または近接による入力操作が行われた場合の動作について説明する。
【００３３】
図４は、図２に示した小型電子機器においてタッチパッド１０への接触または近接による入力操作が行われた場合の動作を説明するための図であり、（ａ）はタッチパッド１０と表示ユニット２０とが重ね合わされた状態にて入力操作を行うための表示が行われている場合の外観図、（ｂ）は表示ユニット２０上からタッチパッド１０がずらされた状態にてタッチパッド１０に対して接触または近接による入力操作が行われている場合の外観図である。
【００３４】
図２に示した小型携帯電子機器は、通常は図４（ａ）に示すように、タッチパッド１０と表示ユニット２０とが重ね合わされた状態となっており、この状態で表示処理として表示ユニット２０の表示画面部２１に操作用情報４が表示されると、操作用情報４がタッチ部１１を介して視認可能となる。この状態においても、タッチ部１１のうち、所望の操作用情報４の表示位置に指を接触させたり指を近接させたりすると、第１の検出処理として、タッチ部１１がその接触または近接を検出し、表示ユニット２０が、表示画面部２１のうちタッチ部１１にて接触または近接を検出した位置に対向する位置の操作用情報４に応じた動作や表示を行う。なお、表示画面部２１に表示される操作用情報４としては、文字入力用のキーやブラウザ閲覧時のリンク、アプリケーション起動用のアイコン等が考えられる。
【００３５】
この状態から、タッチパッド１０を上溝２２ａ及び下溝２２ｂに沿ってスライドさせ、表示ユニット２０上からタッチパッド１０がずれた状態とすると、図４（ｂ）に示すように、表示画面部２１に表示された操作用情報４がタッチ部１１を介さずに視認可能となる。また、表示ユニット２０に設けられた開閉スイッチ２３が、タッチパッド１０に押されない状態となってＯＦＦ状態となると、表示ユニット２０の表示制御部２６は、表示画面部２１に位置特定情報となるポインタ５を表示する。このポインタ５は、タッチパッド１０の位置検出部１３にてタッチ部１１に接触または近接した指３の位置座標を検出すると、この位置座標を表示ユニット２０の位置認識部２４が認識し、表示制御部２６が、その位置座標に基づいて表示画面部２１に表示することになる。すなわち、ポインタ５はタッチ部１１に接触または近接している指３の動きと連動して移動することになる。その結果、利用者は、ポインタ５の位置で、目的の情報を正確に選択することができる。
【００３６】
その後、その位置にて再度の接触や近接を位置認識部２４にて認識したりすると、第２の検出処理として、操作認識部２５がその位置に表示された操作用情報４に応じた入力操作であることを認識する。そして、動作制御部２７が、操作認識部２５にて認識された入力操作に応じた表示を表示画面部２１にて行うように表示制御部２６を制御する。例えば、あるアプリケーション起動用のアイコンが表示された位置に指３が接触したり近接したりした場合は、そのアプリケーションが起動し、表示画面部２１に表示されることになる。
【００３７】
このように、本形態においては、タッチパッド１０と表示ユニット２０とが、その相対位置が、互いに重なり合う状態と、一部が互いに重なり合わない状態とに変位可能に配置され、表示ユニット２０が、タッチパッド１０にて接触または近接が検出された位置にタッチパッド１０と表示ユニット２０とが重なり合う状態で対向する位置の表示を用いて、タッチパッド１０に対する接触または近接による入力操作を認識する構成としたため、タッチパッド１０と表示ユニット２０との相対位置を、一部が互いに重なり合わない状態としてタッチパッド１０に対して接触または近接によって入力操作を行えば、入力操作を行うための表示に従って指等を接触または近接させて入力操作を行う場合に、入力操作を行うための表示が指等で隠れて入力操作を誤ってしまうことを回避できる。
【００３８】
なお、本形態においては、開閉スイッチ２３を、表示ユニット２０上にタッチパッド１０が重ね合わされた場合にタッチパッド１０によって押されてＯＮ状態となり、タッチパッド１０によって押されてない状態ではＯＦＦ状態となる物理的なものを例に挙げて説明したが、光を検出することでＯＮ／ＯＦＦするもの等であってもよい。
【００３９】
（他の実施の形態）
図５は、図１に示した入力装置の実施の一形態となる小型電子機器の他の例を示す図であり、（ａ）はタッチパッド１１０と表示ユニット１２０とが重ね合わされた状態の外観斜視図、（ｂ）は表示ユニット１２０上からタッチパッド１１０がずらされた状態を示す外観斜視図である。
【００４０】
本例は図５に示すように、表示ユニット１２０と情報入力部１４０とが連接した構成において、タッチパッド１１０が、表示ユニット１２０上と情報入力部１４０上との間を移動可能に構成されている。
【００４１】
タッチパッド１１０は、上述したタッチパッド１０と同様の構成である。情報入力部１４０には、情報を入力、選択するための複数のキーボタン１４１が設けられており、また、図２（ｅ）に示した、位置認識部２４と操作認識部２５と表示制御部２６と動作制御部２７として機能するＣＰＵを内蔵している。すなわち、本形態においては、本発明の表示手段は、表示ユニット１２０と情報入力部１４０とから構成される。
【００４２】
このように構成された小型電子機器においては、ブラウザの閲覧やアプリケーション（ゲーム）使用中等のキーを使用しない場合に、タッチパッド１１０を表示ユニット１２０上から情報入力部１４０上にずらし、その状態で、タッチ部１１１に指１０３を接触させたり近接させたりすると、表示画面部１２１に上記同様にポインタ１０５が表示され、その位置に表示された情報に対する入力操作が認識されることになる。
【００４３】
図６は、図１に示した入力装置の実施の一形態となる小型電子機器の他の例を示す図であり、（ａ）はタッチパッド３１０と表示ユニット３２０とが重ね合わされた状態の外観斜視図、（ｂ）は表示ユニット３２０上からタッチパッド３１０がずらされた状態を示す外観斜視図である。
【００４４】
本例は図６に示すように、表示ユニット３２０と情報入力部３４０とが連接した構成において、タッチパッド３１０が、表示ユニット３２０上から横方向に移動可能に構成されている。
【００４５】
タッチパッド３１０は、上述したタッチパッド１０と同様の構成である。情報入力部３４０には、情報を入力、選択するための複数のキーボタン３４１が設けられており、また、図２（ｅ）に示した、位置認識部２４と操作認識部２５と表示制御部２６と動作制御部２７として機能するＣＰＵを内蔵している。すなわち、本形態においては、本発明の表示手段は、表示ユニット３２０と情報入力部３４０とから構成される。
【００４６】
このように構成された小型電子機器においては、タッチパッド３１０を表示ユニット３２０上から横方向にずらし、その状態で、タッチ部３１１に指３０３を接触させたり近接させたりすると、表示画面部３２１に上記同様にポインタ３０５が表示され、その位置に表示された情報に対する入力操作が認識されることになる。またこの際、情報入力部３４０上には、タッチパッド３１０が重ね合わされていないため、情報入力部３４０のキーボタン３４１に対する操作を行うこともできる。
【００４７】
図７は、図１に示した入力装置の実施の一形態となる小型電子機器の他の例を示す図であり、（ａ）はタッチパッド２１０と表示ユニット２２０とが重ね合わされた状態の外観斜視図、（ｂ）は表示ユニット２２０とタッチパッド２１０とが分離した状態を示す外観斜視図である。
【００４８】
本例は図７に示すように、タッチパッド２１０と表示ユニット２２０とからなる小型電子機器であって、タッチパッド２１０にBluetoothが搭載されたものである。
【００４９】
このように構成された小型電子機器においては、タッチパッド２１０を表示ユニット２２０上に重なり合わない状態として、タッチ部２１１に指２０３を接触させたり近接させたりすると、タッチパッド２１０がその位置座標をBluetoothにて表示ユニット２２０に送り、表示画面部２２１に上記同様にポインタ２０５が表示され、その位置に表示された情報に対する入力操作が認識されることになる。
【００５０】
なお、上述した実施の形態においては、タッチパッド１０，１１０，２１０，３１０と表示ユニット２０，１２０，２２０，３２０とが互いに重なり合う状態と、一部が重なり合わない状態とに変位可能としているが、タッチパッド１０，１１０，２１０，３１０と表示ユニット２０，１２０，２２０，３２０とが互いに完全に重なり合うのではなく、略重なり合う状態と、全く重なり合わない状態も含めて少なくとも一部が重なり合わない状態とに変位可能とするものであればよい。
【００５１】
また、本発明に用いられる入力装置は、携帯端末やスマートフォンに限らず、携帯音楽プレーヤーや携帯ゲーム機、タブレットＰＣやノートＰＣ等であってもよい。
【符号の説明】
【００５２】
１    入力検出部
２    表示部
３，１０３，２０３，３０３    指
４    操作用情報
５，１０５，２０５，３０５    ポインタ
１０，１１０，２１０，３１０    タッチパッド
１１，１１１，２１１，３１１    タッチ部
１２ａ    上爪
１２ｂ    下爪
１３    位置検出部
２０，１２０，２２０，３２０    表示ユニット
２１，１２１，２２１，３２１    表示画面部
２２ａ    上溝
２２ｂ    下溝
２３    開閉スイッチ
２４    位置認識部
２５    操作認識部
２６    表示制御部
２７    動作制御部
３０    フレキシブルシート
１４０，３４０    情報入力部
１４１，３４１    キーボタン
【図１】
2013020344.tif 000003
【図２】
2013020344.tif 000004
【図３】
2013020344.tif 000005
【図４】
2013020344.tif 000006
【図５】
2013020344.tif 000007
【図６】
2013020344.tif 000008
【図７】
2013020344.tif 000009